(57)【要約】      （修正有）【課題】アクセサリとの接続ケーブルが撮影動作を阻害しない端子配置をもつ撮像装置を提供する。【解決手段】接続ケーブル４０２の本体側接続端子は、表示部２０２よりも上方に配置され、かつ、本体側接続端子に対する撮像装置本体１０１側の第１のプラグ部の挿抜方向が撮像レンズの光軸に直交する面上に配置され、かつ、第１のプラグ部の挿抜方向１２０１が撮像装置本体の前方から見た際に撮像装置本体の直上と撮像装置本体の把持部が配置された側とは逆側の側方との間で斜め上方に向けて配置され、かつ、アクセサリと撮像装置本体側に装着された接続ケーブルの第１のプラグ部が干渉しない位置に斜めになるように配置される。【選択図】図１２
2017118208.tif 000002
【特許請求の範囲】
【請求項１】
撮像レンズを有する撮像装置本体と、表示画面が露出するように前記撮像装置に配置された表示部と、前記撮像装置本体を保持するために前記撮像装置本体側方に設けられた把持部と、前記接像装置本体に対して複数の取付方向で取付可能なアクセサリと、前記アクセサリが取り付くアクセサリ取付部と、前記撮像装置本体と前記アクセサリを接続するための第１のプラグ部および第２のプラグ部を両端に有する接続ケーブルと、前記第１のプラグが前記撮像装置に装着されるように構成された本体側接続端子と、前記第２のプラグ部が前記アクセサリに装着されるアクセサリ側接続端子を有する撮像装置において、
前記本体側接続端子は前記表示部よりも上方に配置され、
かつ、前記本体側接続端子に対する前記撮像装置本体側の前記第１のプラグ部の挿抜方向が前記撮像レンズの光軸に直交する面上に配置され、
かつ、前記第１のプラグ部の前記挿抜方向が前記撮像装置本体の前方から見た際に前記撮像装置本体の直上と前記撮像装置本体の前記把持部が配置された側とは逆側の側方との間で斜め上方に向けて配置され、
かつ、前記アクセサリと前記撮像装置本体側に装着された前記接続ケーブルの前記第１のプラグ部が干渉しない位置に斜めになるように配置したことを特徴とする撮像装置。
【請求項２】
前記撮像装置を前記撮像レンズの前面から見たときに、前記撮像レンズと前記撮像レンズの最外形を内接円とする矩形領域の一部に、前記接続端子の内部構造を含む一部が投影上で重なるように前記接続端子を配置したことを特徴とする請求項１に記載の撮像装置。
【請求項３】
前記接続端子を覆う接続端子カバー部材を有し、前記接続端子カバー部材の最外形が前記撮像装置を内側に包含する直方体よりも内側に収まるように構成されたことを特徴とする請求項１に記載の撮像装置。
【請求項４】
使用者が前記撮像装置を吊り下げることができるストラップを装着するためのストラップ取付部を有し、前記接続端子は前記ストラップ取付部よりも前方に配置されたことを特徴とする請求項１に記載の撮像装置。
【請求項５】
前記撮像装置に設けられ、前記アクセサリを装着した際に前記アクセサリの装着端部であるアクセサリ当接面を有し、前記アクセサリ当接面から前記第１のプラグ部の最外形までの距離よりも、前記アクセサリ当接面から前記第２のプラグ部の最外形までの距離の方が大きくなるように前記本体側接続端子を配置したことを特徴とする請求項１に記載の撮像装置。
【発明の詳細な説明】
【技術分野】
【０００１】
本発明は、ビデオカメラ等の撮像装置に関し、詳しくは、アクセサリとの接続ケーブルが撮影動作を阻害しないように撮像装置を利用することのできる撮像装置の端子配置に関する。
【背景技術】
【０００２】
近年、ビデオカメラ等の撮像装置の分野では小型化と高機能化が急速に進み、ユーザーの使い勝手が向上している。ユーザーの使い勝手の向上に対応するため、撮像装置に撮影を補助する装置（以下、アクセサリとする）を取り付ける様々な構成が提案されている。
【０００３】
その一例として、図１８に示すように、本体部の第１、第２の取り付け部の一方に記録再生部を取り付けるとともに、第１、第２の取り付け部の他方にインターフェースボックスを取り付けて使用する撮影システムが提案されている（特許文献１）。
【先行技術文献】
【特許文献】
【０００４】
【特許文献１】特開２００８−１２４８７１号公報
【発明の概要】
【発明が解決しようとする課題】
【０００５】
しかしながら、従来例のような撮像装置の構成では、２つのアクセサリを共通の取付部で複数の位置に配置出来る構成ではあるものの、単一のアクセサリが複数方向で取り付けられる際の本体との接続端子部の好適な配置については言及されていない。
【０００６】
さらに、一般的な配置として、アクセサリ接続端子部を従来の撮像装置本体１９０１の右側方に配置にした場合、図１９に示すように従来の撮像装置本体１９０１の右側方に接続ケーブル１９０２が引き回されるような構成になる。そのため、従来の撮像装置本体１９０１を使用している際の視界が接続ケーブル１９０２に邪魔されたり、従来の撮像装置本体１９０１の右側方に障害物１９０３がある場合に、障害物１９０３と接続ケーブル１９０２が干渉してしまい、撮影動作を阻害してしまうという課題がある。
【課題を解決するための手段】
【０００７】
上記の課題を解決するために、請求項１に係る本発明は、
撮像レンズを有する撮像装置本体と、表示画面が露出するように撮像装置に配置された表示部と、撮像装置本体を保持するために撮像装置本体側方に設けられた把持部と、接像装置本体に対して複数の取付方向で取付可能なアクセサリと、アクセサリが取り付くアクセサリ取付部と、撮像装置本体とアクセサリを接続するための第１のプラグ部および第２のプラグ部を両端に有する接続ケーブルと、第１のプラグが撮像装置に装着されるように構成された本体側接続端子と、第２のプラグ部がアクセサリに装着されるアクセサリ側接続端子を有する撮像装置において、本体側接続端子は表示部よりも上方に配置され、かつ、本体側接続端子に対する撮像装置本体側の第１のプラグ部の挿抜方向が撮像レンズの光軸に直交する面上に配置され、かつ、第１のプラグ部の挿抜方向が撮像装置本体の前方から見た際に撮像装置本体の直上と撮像装置本体の把持部が配置された側とは逆側の側方との間で斜め上方に向けて配置され、かつ、アクセサリと撮像装置本体側に装着された接続ケーブルの第１のプラグ部が干渉しない位置に斜めになるように配置したことを特徴とする。
請求項２に係る本発明は、請求項１の撮像装置において、
撮像装置を撮像レンズの前面から見たときに、撮像レンズと撮像レンズの最外形を内接円とする矩形領域の一部に、接続端子の内部構造を含む一部が投影上で重なるように接続端子を配置したことを特徴とする。
請求項３に係る本発明は、請求項１の撮像装置において、
接続端子を覆う接続端子カバー部材を有し、接続端子カバー部材の最外形が撮像装置を内側に包含する直方体よりも内側に収まるように構成されたことを特徴とする。
請求項４に係る本発明は、請求項１の撮像装置において、
使用者が撮像装置を吊り下げることができるストラップを装着するためのストラップ取付部を有し、接続端子はストラップ取付部よりも前方に配置されたことを特徴とする。
請求項５に係る本発明は、請求項１の撮像装置において、
撮像装置に設けられ、アクセサリを装着した際にアクセサリの装着端部であるアクセサリ当接面を有し、アクセサリ当接面から第１のプラグ部の最外形までの距離よりも、アクセサリ当接面から第２のプラグ部の最外形までの距離の方が大きくなるように本体側接続端子を配置したことを特徴とする。
【発明の効果】
【０００８】
本発明によれば、撮影動作を阻害しないように接続ケーブルを引き回すことが可能となり、さらに、アクセサリの取付方向を変更しても、接続ケーブルのプラグ部分が干渉することなく、好適に撮像装置を使用するができるようになる。
【図面の簡単な説明】
【０００９】
【図１】撮像装置本体の主に上面構成を表す正面右側上方から見た斜視図
【図２】撮像装置本体の主に背面構成を表す背面左側上方から見た斜視図
【図３】撮像装置本体の端子カバーを外した主に上面構成を表す正面右側上方から見た斜視図
【図４】撮像装置本体にマイクアダプタを装着した状態の斜視図
【図５】撮像装置本体に逆向きにマイクアダプタを装着した状態の斜視図
【図６】マイクアダプタの主に上面構成を表す正面右側上方から見た斜視図
【図７】マイクアダプタの主に左側上面構成を表す斜視図
【図８】端子カバー部材を不図示にしたマイクアダプタの主に左側上面構成を表す斜視図
【図９】マイクアダプタの主に左側上面構成を表す背面左側上方から見た斜視図
【図１０】撮像装置本体の主たる内部構造と外装部材を示した分解斜視図
【図１１ａ】撮像装置本体に接続ケーブルを接続する手順を示した概略斜視図
【図１１ｂ】撮像装置本体に接続ケーブルを接続する手順を示した概略斜視図
【図１１ｃ】撮像装置本体に接続ケーブルを接続する手順を示した概略斜視図
【図１２】撮像装置にマイクアダプタを装着し、接続ケーブルで接続した装置の全体図
【図１３ａ】アクセサリ接続端子の内部構造を示した斜視図
【図１３ｂ】アクセサリ接続端子の内部構造を示した斜視図
【図１４】撮像装置本体と主たる内部構造部品の配置を正面側からみた概略図
【図１５】撮像装置本体を正面から見た正面図
【図１６】撮像装置本体を上面からみた上面図
【図１７】撮像装置本体に逆向きにマイクアダプタを装着した状態の右側側面図
【図１８】従来例を示す図
【図１９】接続端子部の従来の配置を示す概略図
【発明を実施するための形態】
【００１０】
以下、本発明の好適な一実施形態について、撮像装置に本発明を適用し、図面を参照しながら詳細に説明する。
【００１１】
尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１２】
（撮像装置外観斜視図の説明）
図１は撮像装置本体１０１の主に上面構成を表す正面右側上方から見た斜視図、図２は撮像装置本体１０１の主に背面構成を表す背面左側上方から見た斜視図、図３は撮像装置本体１０１の本体側アクセサリ接続端子カバー１１０を開いた状態を示した斜視図である。本図を用いて外観斜視図に表される各要素の機能を説明する。
【００１３】
図１、図２に示す撮像装置本体１０１の正面側にはレンズ１０２が配置されている。レンズ１０２には、撮影者が回動することで撮影画像の光学的な拡大縮小を行うズームリング１０３が配置されている。また、レンズ１０２には撮影者が回動することで、撮影画像の合焦位置を変動することができるフォーカスリング１０４が設けられている。
【００１４】
撮像装置本体１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置本体１０１のさまざま状態を示すアイコンの表示／非表示を切り替える表示切替スイッチ１０６ａ、撮像装置本体１０１がマニュアルフォーカスモードになっている場合に、撮影者が押している間だけ一時的にオートフォーカスモードに切り替えることができるＡＦスイッチ１０６ｂが配置されている。
【００１５】
撮像装置本体１０１の左側面には、把持部回動軸２０１を中心に回動可能に取り付けられた把持部１０７が配置されている。把持部１０７は図２に示す把持部回動軸２０１を中心に矢印Ａ側に９０度、矢印Ｂ側に９０度回動するように構成されている。
【００１６】
撮像装置本体１０１の上面には、入力された音声信号を電気信号に変換する内蔵マイク１０８が配置されている。内蔵マイク１０８の背面方向に隣接して、外部マイクなどの撮影補助機器を装着可能なアクセサリ取付部１０９が配置されている。
【００１７】
撮像装置本体１０１の上面と右側面との肩部には、本体側アクセサリ接続端子カバー１１０が開閉可能に配置されており、本体側アクセサリ接続端子カバー１１０を開くことで、本体側アクセサリ接続端子３０１が露出する。本体側アクセサリ接続端子カバー１１０の後方には、右側ストラップ吊り環１１１が配置されており、把持部１０７側には左側ストラップ吊り環２０９が配置されている。
【００１８】
なお、本実施例における本体側アクセサリ接続端子３０１の配置に関しての詳細な説明は後述する。
【００１９】
撮像装置本体１０１の背面には、撮影者が撮像画像や再生画像の確認を行なう表示部２０２が配置されている。表示部２０２は撮像装置本体１０１に対して回動可能に取り付けられており、撮影者が撮影状況に合わせて、表示部２０２の位置を任意に変えることができるように構成されている。表示部２０２の回動動作については、後述する。
【００２０】
表示部２０２には撮影者が確認する撮像画像や再生画像が表示される表示画面２０６が配置されている。本説明の表示部２０２において、表示画面２０６が配置された側を表示部２０２表面、その対面側を表示部２０２裏面と表現する。
【００２１】
また、表示部２０２の底面側には、記録媒体ないしは記録媒体挿入口を被覆するためのカードカバー部２０３が配置されている。記録媒体は、撮影者が撮影した画像を記録するために、撮像装置本体１０１に着脱する。
【００２２】
撮影者はカードカバー部２０３上に配置されたカードカバー操作ノブ２０４を操作することで、記録媒体ないしは記録媒体挿入口が被覆されている状態であるカバー閉状態から記録媒体ないしは記録媒体挿入口が露出している状態であるカバー開状態にすることができる。
【００２３】
カードカバー部２０３には、透明樹脂で構成されたカード視認窓２０５が設けられている。撮影者は撮像装置本体１０１に記録媒体が装着されているか否かを、カード視認窓２０５からカードカバー部２０３内部を観察することで確認することができる。
【００２４】
撮像装置本体１０１には、表示部２０２裏面が対向する側に設けられた背面カバー２０７が配置されている。表示部２０２、カードカバー部２０３は背面カバー２０７に固定されることで撮像装置本体１０１と結合している。背面カバー２０７の上面には、表示部当接部２０８が配設されており、表示部２０２の回動動作時の動作端として機能する。
【００２５】
（マイクアダプタ外観斜視図の説明）
図４は撮像装置本体１０１にマイクアダプタ４０１を装着した状態の斜視図、図６は撮像装置本体１０１のアクセサリ取付部１０９に着脱可能に構成されたマイクアダプタ４０１の主に右側上面構成を表す正面右側上方から見た斜視図、図７はマイクアダプタ４０１の主に左側上面構成を表す正面左側上方から見た斜視図、本図を用いてマイクアダプタ４０１の外観斜視図に表される各要素の機能を説明する。
【００２６】
マイクアダプタ４０１は図４に示すように撮像装置本体１０１の上面に設けられたアクセサリ取付部１０９に装着して使用する。撮像装置本体１０１とマイクアダプタ４０１は接続ケーブル４０２で接続されている。マイクアダプタ４０１はマイクアダプタ４０１底面に設けられた本体取付部６０１を撮像装置本体１０１のアクセサリ取付部１０９に取り付けることで、撮像装置本体１０１と結合する。
【００２７】
アクセサリ固定部材６０２は固定部材動作軸６０３方向に所定のストローク上下動作可能に構成されている。
撮像装置本体１０１とマイクアダプタ４０１は、アクセサリ固定部材６０２を下側に所定のストロークを固定部材動作軸６０３方向に動作させることで、アクセサリ取付部１０９を挟持し、撮像装置本体１０１に対してマイクアダプタ４０１を固定可能に構成されている。
【００２８】
マイクアダプタ４０１の左側面には外部マイク４０３を保持するための外部マイク保持部６０４が配置されており、図４に示すように、指向性マイクなど撮影者が任意にマイクを選択して装着することができるように構成されている。
【００２９】
外部マイク保持部６０４の底面側には、外部マイク端子カバー７０１が開閉可能に配置されている。外部マイク端子カバー７０１と隣接して、アクセサリ側アクセサリ接続端子カバー７０２が開閉可能に配置されている。
【００３０】
図８は外部マイク端子カバー７０１とアクセサリ側アクセサリ接続端子カバー７０２を不図示したマイクアダプタ４０１の主に左側上面構成を表す正面左側上方から見た斜視図である。
【００３１】
外部マイク端子カバー７０１を開くと、外部マイク端子８０１が露出する。外部マイク端子８０１には、外部マイク４０３から延出した外部マイク接続ケーブル（不図示）が接続される。本実施例では、外部マイク端子８０１を２個備えている。
【００３２】
アクセサリ側アクセサリ接続端子カバー７０２を開くと、アクセサリ側アクセサリ接続端子８０２が露出する。アクセサリ側アクセサリ接続端子８０２には、図４に示した接続ケーブル４０２の一端が接続され、接続ケーブル４０２の他端が撮像装置本体１０１の本体側アクセサリ接続端子３０１と接続されることで、マイクアダプタ４０１の機能を使用することができるようになる。
【００３３】
図９はマイクアダプタ４０１の主に左側上面構成を表す背面左側上方から見た斜視図である。
【００３４】
マイクアダプタ４０１の背面側には、拡張アクセサリ取付部９０１が配置されている。拡張アクセサリ取付部９０１は、拡張アクセサリ取付部９０１に装着可能な適合形状を有する部材であれば、ユーザーが任意に装着する部材を選択して、マイクアダプタ４０１に部材を取り付けることができるように構成されている。
【００３５】
また、マイクアダプタ４０１の本体取付部６０１は、図４に示すように外部マイク保持部６０４が把持部１０７側に配置されるような装着方向と、図５に示すように外部マイク保持部６０４が右側方に配置されるような装着方向の複数の異なる方向で取付可能に構成されている。
【００３６】
（撮像装置本体の分解説明）
続いて、撮像装置本体１０１の主たる内部構造について、説明する。
【００３７】
図１０は撮像装置本体１０１の主たる内部構造と外装部材を示した分解斜視図である。説明に不要な部材に関しては図示せず、説明を割愛する。
【００３８】
撮像装置本体１０１の内部構造部材と外装部材は、主保持部材１００１に対してビスなどにより固定されている。本実施例において、主保持部材１００１の材質はアルミニウム合金で構成されており、撮像装置本体１０１に静荷重や衝撃などの外力が加わったとしても、機能・性能に影響が無いように構成されている。
【００３９】
主保持部材１００１に対して、右側面上方から本体側アクセサリ接続端子ユニット１００２、前方からレンズ１０２、左側方から把持部１０７、右側方からフォーカス切替スイッチ１０５、表示切替スイッチ１０６ａ、ＡＦスイッチ１０６ｂが取り付けられた右側面カバー１００３、上面から上面カバー１００４をそれぞれ所定の順番で固定していく。
【００４０】
（接続ケーブルの取付方法の説明）
撮像装置本体１０１に対して、接続ケーブル４０２を装着する際の動作について説明する。
【００４１】
図１１（ａ）は撮像装置本体１０１を背面から見た背面図、図１１（ｂ）は撮像装置本体１０１の本体側アクセサリ接続端子３０１に接続ケーブル４０２の一端を近接させた概略図、図１１（ｃ）は図１１（ｂ）の状態から本体側アクセサリ接続端子３０１に接続ケーブル４０２の一端が装着された状態を示した概略図である。図１１（ａ）〜図１１（ｃ）において、本体側アクセサリ接続端子カバー１１０は説明の都合上、不図示にしている。
【００４２】
使用者が接続ケーブル４０２を撮像装置本体１０１に接続する際、使用者は図３に示すように本体側アクセサリ接続端子カバー１１０を開き、本体側アクセサリ接続端子３０１が露出した状態にする。
【００４３】
続いて、使用者は接続ケーブル４０２の一端を手に持ち、本体側アクセサリ接続端子３０１に近づける。使用者は接続ケーブル４０２を所定の嵌合量をケーブル装着方向１１０１に押し込むことで、図１１（ｃ）に示すように本体側アクセサリ接続端子３０１に対して接続ケーブル４０２装着することができる。
【００４４】
使用者が撮像装置本体１０１から接続ケーブル４０２を脱着する際は、撮像装置本体１０１に接続された接続ケーブル４０２の一端を手に持ち、ケーブル装着方向１１０１とは逆方向に引っ張ることで、本体側アクセサリ接続端子３０１から接続ケーブル４０２を取り外すことができる。
【００４５】
（本体側アクセサリ接続端子のレイアウト詳細説明）
撮像装置本体１０１における正面から見た場合の本体側アクセサリ接続端子３０１の配置について、詳細を説明する。
【００４６】
図１２は撮像装置本体１０１にマイクアダプタ４０１を装着し、接続ケーブル４０２で接続した装置の全体図を示している。
【００４７】
本体側アクセサリ接続端子３０１は前述したように撮像装置本体１０１の上面と右側面との肩部に配置されている。具体的には、本体側アクセサリ接続端子３０１が表示部２０２外形よりも上方に露出するように配置されている。また、図１２に示すようにケーブル装着方向１１０１（脱着方向）は、レンズ１０２の光軸に対して直交する面（ＹＺ平面）上を接続ケーブル４０２が挿抜されるように配置されている。さらに、把持部１０７とは反対側の側方（撮像装置本体１０１の右側方）で、かつ、アクセサリ取付部１０９（撮像装置本体１０１の直上）との間で、接続ケーブル４０２のケーブル装着方向１１０１が所定の角度θをになるように、本体側アクセサリ接続端子３０１が斜めに配置されている。
【００４８】
このように本体側アクセサリ接続端子３０１を配置することで、表示部２０２よりも上方から接続ケーブル４０２が所定の角度をもって延出するため、撮影時に撮像装置本体１０１の視界を広く確保することが可能となる。また、把持部１０７とは反対側の側方（撮像装置本体１０１の右側方）に本体側アクセサリ接続端子３０１が配置されているため、把持部１０７を回動させて撮像装置本体１０１を保持した場合でも、接続ケーブル４０２が邪魔にならない。加えて、撮像装置本体１０１の右側方と撮像装置本体１０１の直上との間で、接続ケーブル４０２のケーブル装着方向１１０１が所定の角度をになるように、本体側アクセサリ接続端子３０１が斜めに配置されることで、撮像装置本体１０１の右側方に接続ケーブル４０２が延出するように構成した場合よりも撮像装置本体１０１、マイクアダプタ４０１、接続ケーブル４０２によって構成される全体構成を小型化することができる。
【００４９】
接続ケーブル４０２のケーブル装着方向１１０１の角度は、撮像装置本体１０１側から延出する接続ケーブル４０２と撮像装置本体１０１に取り付けられたマイクアダプタ４０１が干渉することがなく、かつ、使用者が接続ケーブル４０２を挿抜する際に、使用者の挿抜作業を阻害せず、かつ、撮影時に良好な視界が確保できる角度に設定することが望ましい。
【００５０】
本体側アクセサリ接続端子３０１の内部構造との関係について、説明する。
【００５１】
図１３（ａ）は本体側アクセサリ接続端子ユニット１００２の上面斜視図、図１３（ｂ）は本体側アクセサリ接続端子ユニット１００２の下面斜視図を示している。
【００５２】
図１３（ａ）に示すように本体側アクセサリ接続端子ユニット１００２は、本体側アクセサリ接続端子３０１が接続端子保持部材１３０１に対して、六角ナット１３０２により固定されるように構成されている。本体側アクセサリ接続端子３０１は、六角ナット１３０２を含め接続端子保持部材１３０１よりも後方に突出した形状を有している。本体側アクセサリ接続端子３０１は撮像装置本体１０１の主保持部材１００１に対して接続端子保持部材１３０１を介して固定されている。
【００５３】
主保持部材１００１とレンズ１０２と本体側アクセサリ接続端子３０１の関係について説明する。
【００５４】
図１４は撮像装置本体１０１の主保持部材１００１とレンズ１０２と本体側アクセサリ接続端子３０１の配置を正面側からみた概略図である。説明の都合上、必要な部材のみ図示し、本体側アクセサリ接続端子３０１、接続端子保持部材１３０１に関しては、部分的に断面として図示している。
【００５５】
撮像装置本体１０１に対する本体側アクセサリ接続端子３０１の配置は、レンズ１０２が内接する仮想枠１４０１の一部に本体側アクセサリ接続端子３０１の内部構造の一部が入り込むように構成されている。
【００５６】
また、図１５は撮像装置本体１０１を正面から見た正面図である。撮像装置本体１０１の最外形は、上面側はアクセサリ取付部１０９、右側面は右側面カバー１００３でそれぞれ決まっている。図中Ｚ方向の二点鎖線は上方最大外形１５０１、図中Ｙ方向の二点鎖線は右側方最大外形１５０２を表している。本体側アクセサリ接続端子カバー１１０は、上方最大外形１５０１および右側方最大外形１５０２に収まる領域に配置されている。
【００５７】
このように本体側アクセサリ接続端子３０１を配置することで、撮像装置本体１０１の最大外形に対してレンズ１０２の光軸中心に近い方向に配置することができるようになる。また、前述のように、本体側アクセサリ接続端子３０１を撮像装置本体１０１に対して角度をもって配置しているため、本体側アクセサリ接続端子カバー１１０を配置したとしても、撮像装置本体１０１の右側方最大外形１５０２および上方最大外形１５０１の大きさに影響することがなくなる。したがって、撮像装置本体１０１の小型化が可能となる。
【００５８】
撮像装置本体１０１における前後方向の本体側アクセサリ接続端子３０１の配置について、詳細を説明する。
【００５９】
図１６は撮像装置本体１０１を上面からみた上面図、図１７は図５の状態の撮像装置全体を右側方から見た側面図である。
【００６０】
図１７において、アクセサリ装着端部１６０１は接続ケーブル４０２に隠れた仮想線として表現している。また、外部マイク４０３は不図示にしている。
【００６１】
また、本体側アクセサリ接続端子３０１は右側ストラップ吊り環１１１よりも前側にかつ、本体側アクセサリ接続端子３０１は撮像装置本体１０１のアクセサリ装着端部１６０１よりも、本体側アクセサリ接続端子３０１の本体側端子中心１６０２が前側になるように配置されている。
【００６２】
このように配置された本体側アクセサリ接続端子３０１に対して、マイクアダプタ４０１の外部マイク保持部６０４を把持部１０７になるようにマイクアダプタ４０１を装着し、撮像装置本体１０１とマイクアダプタ４０１を接続ケーブル４０２により接続した場合、図４に示すような接続ケーブル４０２の引き回し状態になる。
【００６３】
また、マイクアダプタ４０１の外部マイク保持部６０４を右側方に配置するようにマイクアダプタ４０１を装着し、撮像装置本体１０１とマイクアダプタ４０１を接続ケーブル４０２により接続した場合、図５に示すような接続ケーブル４０２の引き回し状態になる。
【００６４】
図５に示すようなマイクアダプタ４０１の装着方向のとき、撮像装置本体１０１のアクセサリ装着端部１６０１からアクセサリ側端子中心１７０１までの距離（図１７中Ｌ２）よりも撮像装置本体１０１のアクセサリ装着端部１６０１から本体側端子中心１６０２までの距離（図１６中Ｌ１）が小さくなるように、本体側アクセサリ接続端子３０１を配置する。
【００６５】
このように配置することで、撮像装置本体１０１に接続された接続ケーブル４０２の端部とマイクアダプタ４０１に接続された接続ケーブル４０２のもう一方の端部とが干渉するのを避けることが可能になる。
【００６６】
図１、図２に示すように撮像装置本体１０１の右側ストラップ吊り環１１１および左側ストラップ吊り環２０９は、撮像装置本体１０１の背面側に取り付けられている。右側ストラップ吊り環１１１および左側ストラップ吊り環２０９は撮像装置本体１０１の左右側にそれぞれ１つずつ、前後方向位置がほぼ同一になるように配置されている。
【００６７】
以上説明したように、本発明によれば、撮影動作を阻害しないように接続ケーブルを引き回すことが可能となり、さらに、アクセサリの取付方向を変更しても、接続ケーブルのプラグ部分が干渉することなく、好適に撮像装置を使用するができるようになる。
【００６８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６９】
１０１  撮像装置本体、１０２  レンズ、１０７  把持部、１０９  アクセサリ取付部、
１１０  本体側アクセサリ接続端子カバー、２０２  表示部、２０７  背面カバー、
２０８  表示部当接部、２０９  左側ストラップ吊り環、
３０１  本体側アクセサリ接続端子、４０１  マイクアダプタ、４０２  接続ケーブル、
６０１  本体取付部、６０２  アクセサリ固定部材、
８０２  アクセサリ側アクセサリ接続端子、１００１  主保持部材、
１００２  本体側アクセサリ接続端子ユニット、１００３  右側面カバー、
１００４  上面カバー、１１０１  ケーブル装着方向、１２０１  挿抜方向、
１３０１  接続端子保持部材、１３０２  六角ナット、１４０１  仮想枠、
１５０２  上方最大外形、１５０３  右側方最大外形、１６０１  アクセサリ装着端部、
１６０２  本体側端子中心、１７０１  アクセサリ側端子中心、
１９０１  従来の撮像装置本体、１９０２  接続ケーブル、１９０３  障害物
【図１】
2017118208.tif 000003
【図２】
2017118208.tif 000004
【図３】
2017118208.tif 000005
【図４】
2017118208.tif 000006
【図５】
2017118208.tif 000007
【図６】
2017118208.tif 000008
【図７】
2017118208.tif 000009
【図８】
2017118208.tif 000010
【図９】
2017118208.tif 000011
【図１０】
2017118208.tif 000012
【図１１ａ】
2017118208.tif 000013
【図１１ｂ】
2017118208.tif 000014
【図１１ｃ】
2017118208.tif 000015
【図１２】
2017118208.tif 000016
【図１３ａ】
2017118208.tif 000017
【図１３ｂ】
2017118208.tif 000018
【図１４】
2017118208.tif 000019
【図１５】
2017118208.tif 000020
【図１６】
2017118208.tif 000021
【図１７】
2017118208.tif 000022
【図１８】
2017118208.tif 000023
【図１９】
2017118208.tif 000024